(57)【要約】【課題】寸法調整が可能に構成された浴槽エプロンを浴槽の側面に取り付ける場合に、部品点数を少なくして、組み付け工数を削減し、施工の簡略化を図る。【解決手段】床パンと、その上に配置される浴槽と、前記浴槽の側面を覆う浴槽エプロンと、を有する浴室ユニットにおいて、前記床パンは、洗い場側と浴槽側を区切る堤を有し、該堤上面に浴槽エプロン支持具が固着され、前記浴槽エプロンは、裏面下部に形成される取付体に、下方に突出した引掛け部を有する浴槽エプロン係止具が取り付けられ、前記浴槽エプロンはその上部において、浴槽外縁部から下方に屈曲し形成された側板部に下方から嵌着され、前記浴槽エプロンはその下部において、前記浴槽エプロン支持具に前記浴槽エプロン係止具の引掛け部によって、着脱自在に取り付けられたことを特徴とする浴槽エプロン取付構造。【選択図】図１
2014008133.tif 000002
【特許請求の範囲】
【請求項１】
床パンと、その上に配置される浴槽と、前記浴槽の側面を覆う浴槽エプロンと、を有する浴室ユニットにおいて、
前記床パンは、洗い場側と浴槽側を区切る堤を有し、該堤上面に浴槽エプロン支持具が固着され、
前記浴槽エプロンは、裏面下部に形成される取付体に、下方に突出した引掛け部を有する浴槽エプロン係止具が取り付けられ、
前記浴槽エプロンはその上部において、浴槽外縁部から下方に屈曲し形成された側板部に下方から嵌着され、
前記浴槽エプロンはその下部において、前記浴槽エプロン支持具に前記浴槽エプロン係止具の引掛け部によって、着脱自在に取り付けられたことを特徴とする浴槽エプロン取付構造。
【請求項２】
請求項１に記載の浴槽エプロン取付構造において、
前記浴槽エプロンの裏面下部の取付体が、上下方向に複数個形成されたことを特徴とする浴槽エプロン取付構造。
【請求項３】
請求項１又は２に記載の浴槽エプロン取付構造において、
前記浴槽エプロン係止具は、前記浴槽エプロン係止具に形成された上下方向に延びる長孔に螺子を貫通し、浴槽エプロンの裏面下部に形成される取付体に前記螺子を螺着することで取り付けられたことを特徴とする浴槽エプロン取付構造。
【請求項４】
請求項１又は２に記載の浴槽エプロン取付構造において、
前記浴槽エプロン係止具は、前記浴槽エプロン係止具の上下方向に複数個形成された孔の内一部に螺子を貫通し、浴槽エプロンの裏面下部に形成される取付体に前記螺子を螺着することで取り付けられたことを特徴とする浴槽エプロン取付構造。
【発明の詳細な説明】
【技術分野】
【０００１】
本発明は、浴槽エプロン取付構造に関する。
【背景技術】
【０００２】
従来、浴室ユニットに設置される据置式浴槽の側面には浴槽エプロンが取り付けられている。据置式浴槽においては浴室ユニットの洗い場床の高さがそれぞれ異なる。従って、浴槽エプロンを設けて浴室ユニットを構成する際に、浴槽や洗い場床の組み合わせにより複数の浴槽エプロンの取り付け高さが発生し、高さに合わせた浴槽エプロンを用意する必要があった。
【０００３】
高さの数に合わせた浴槽エプロンの種類を用意しておくことは、生産・管理・物流・設置等すべてに負担が増えるため、複数の高さに対応できる浴槽エプロン取付構造が種々提案されている。特許文献１に記載の技術は、浴槽エプロンを上下に第一浴槽エプロンと第二浴槽エプロンに分割された構造を有しており、第一浴槽エプロンと第二浴槽エプロンの重なり幅を調整することで、様々な高さの浴槽及び洗い場床の組合せに対応可能な、浴槽エプロンの取付構造を提案している。
【先行技術文献】
【特許文献】
【０００４】
【特許文献１】特開２００９−１２５３７８号公報
【発明の概要】
【発明が解決しようとする課題】
【０００５】
特許文献１に記載の取付構造によれば、浴槽エプロンを二つに分割していることで、それぞれの浴槽エプロン同士を固定するための部材が必要となる。又、上側に位置する第一浴槽エプロンは、浴槽に保持される構造を有し、浴槽側と第一浴槽エプロン側、それぞれにこれらを保持するための中間部材を必要とする。このように多くの部品が必要な構造であり、従って、コスト高であるばかりでなく、部品の組み立てや調整に多くの時間が必要となり、施工時間短縮の障害となっている。
【０００６】
又、この構造では、浴槽エプロンは浴槽に固定されておらず、浴槽と第一浴槽エプロンが中間部材同士で引っ掛かりを持ち保持された構造であるため、上下方向にがたつきやすい。加えて、浴槽外縁下端と浴槽エプロン上端とにおいて、隙間が大きくなり易く、更に、第一浴槽エプロンと第二浴槽エプロンの上下合わさり部分に段差が発生するため、これらの部分には汚れが付着しやすく、清掃性が悪化し、美観を損ねる虞がある。
更に、この構造においては、上側浴槽エプロンには着脱用の手掛けを形成する必要がありデザイン性の制約を受ける等の問題点があった。
【０００７】
本発明は、上述従来の問題点を鑑みなされたものであって、浴槽と洗い場床の組合せによる様々な高さに対応でき、又、がたつきが発生しにくい浴槽エプロン取付構造を、少ない構成部材によって実現することができる。
加えて、浴槽エプロン及びその周辺の隙間や段差を極力抑えることで清掃性を向上させるとともに、浴槽エプロンの着脱が容易に行える浴槽エプロン取付構造を提供する。
【課題を解決するための手段】
【０００８】
本発明は、上述課題を解決する手段として、以下の構成を有する。
（１）本発明の浴槽エプロン取付構造は、床パンと、その上に配置される浴槽と、前記浴槽の側面を覆う浴槽エプロンと、を有する浴室ユニットにおいて、前記床パンは、洗い場側と浴槽側を区切る堤を有し、該堤上面に浴槽エプロン支持具が固着され、前記浴槽エプロンは、裏面下部に形成される取付体に、下方に突出した引掛け部を有する浴槽エプロン係止具が取り付けられ、前記浴槽エプロンはその上部において、浴槽外縁部から下方に屈曲し形成された側板部に下方から嵌着され、前記浴槽エプロンはその下部において、前記浴槽エプロン支持具に前記浴槽エプロン係止具の引掛け部によって、着脱自在に取り付けられたことを特徴とする。
【０００９】
（２）本発明は、（１）項において、前記浴槽エプロンの裏面下部の取付体が、上下方向に複数個形成されたことを特徴とする。
【００１０】
（３）本発明は、（１）又は（２）項において、前記浴槽エプロン係止具は、前記浴槽エプロン係止具に形成された上下方向に延びる長孔に螺子を貫通し、浴槽エプロンの裏面下部に形成される取付体に前記螺子を螺着することで取り付けられたことを特徴とする。
【００１１】
（４）本発明は、（１）又は（２）項において、前記浴槽エプロン係止具は、前記浴槽エプロン係止具の上下方向に複数個形成された孔の内一部に螺子を貫通し、浴槽エプロンの裏面下部に形成される取付体に前記螺子を螺着することで取り付けられたことを特徴とする。
【発明の効果】
【００１２】
本発明において、浴槽エプロンは上部において浴槽の屈曲部に下方から嵌着され、下部において引掛け部と支持体によって、着脱自在に取り付けられた構造となっている。従って、がたつきが発生しにくく、少ない部品点数で構成された構造であり、又、浴槽エプロン上部においては、浴槽の外縁部との隙間は小さく形成されるため、清掃性が良い。更に、浴槽エプロンに上方向の力を作用することで、浴槽エプロンを容易に着脱可能である。
加えて、浴槽エプロンの下端を手掛けとすることができるので、浴槽エプロンの前面に手掛けを成形する必要がなく、デザインの自由度や美観を向上させることができる上、清掃性を阻害しない。
更に、浴槽エプロン裏面下部の取付体の穴を複数個設けたり、浴槽エプロン係止具の孔を長孔とする、又は複数個形成することで、浴槽エプロンの取り付け高さの違いに対応し、分割した浴槽エプロンを用いる必要がなく、部品点数の削減によるコスト削減と伴に施工時間の短縮を図ることができる。
【図面の簡単な説明】
【００１３】
【図１】本発明に係る浴槽エプロン取付構造の第一の形態を備えた浴室ユニットの一部を省略した断面図である。
【図２】図１に示す浴室ユニットの断面図における、浴槽エプロン上部の嵌着部の拡大図である。
【図３】図１に示す浴室ユニットの断面図における、浴槽エプロン下部の係止構造の拡大図である。
【図４】本発明の第一の形態における、浴槽エプロン係止具の浴槽エプロンへの取り付け方法を表す図である。
【図５】本発明に係る浴槽エプロン取付構造の第二の形態を備えた浴室ユニットの一部を省略した断面図である。
【図６】図５に示す浴室ユニットの断面図における、浴槽エプロン下部の係止構造の拡大図である。
【図７】本発明の第二の形態における、浴槽エプロン係止具の浴槽エプロンへの取り付け方法を表す図である。
【図８】本発明の浴槽エプロン取付構造の変形例における、浴槽エプロン係止具の浴槽エプロンへの取り付け方法を表す図である。
【発明を実施するための形態】
【００１４】
（第一の形態）
以下、本発明に係る浴槽エプロン取付構造の第一の形態について図面に基づいて説明する。
図１は、本発明の第一の形態に係る浴槽エプロン取付構造が適用された浴室ユニットを示す断面図である。浴室ユニット８の床面には床パン３が敷き詰められている。床パン３は、浴室ユニット８内を洗い場側８ａと浴槽側８ｂとに区切る堤３ａを有している。洗い場側８ａと浴槽側８ｂにおいて床パン３はその設置高さが異なり、特に浴槽側８ｂの床パン３が低くなっている。浴槽側８ｂの床パン３上には、浴槽１が設置される。浴槽１の底面には下方へ突出する脚部１ｄが一体成形され、浴槽１は脚部１ｄから、上縁部１ｅまでの高さがｈとなっている。
【００１５】
図３に示す様に、床パン３の堤３ａの上面３ｂにはボルト等の固定具１０によって、浴槽エプロン支持具５が取り付けられ固着している。浴槽エプロン支持具５は、その断面が略コの字形状をしており、固定具１０によって締結されている平板上の締結板部５ｅから斜め上方に延びる傾斜側板部を介して、上方鉛直に鉛直側板部５ｃが形成される。鉛直側板部５ｃの上部には、傾斜部５ｂを介して水平方向で浴槽側に突出した上板部５ａが形成される。
【００１６】
浴槽エプロン支持具５は図３の奥行方向に延在し、鉛直側板部５ｃによって、堤３ａと浴槽エプロンの隙間から浴槽側に水が入ることを防いでいる。又、支持具５は上板部５ａによって、浴槽エプロンを下方から支え支持すると伴に、後述する、浴槽エプロン係止具４の引掛け部４ｂが作用することにより浴槽エプロン２が外れることを防ぐ係止構造を実現している。
【００１７】
浴槽１は、樹脂材料を一体成形してなる据置型のものであり、所定方向に長い大略直方体状をなしている。図１に示すように、この浴槽１の一側面は、浴槽エプロン２が取り付けられ覆われる構造となっている。浴槽１の浴槽エプロン２に覆われた側面以外の側面は、浴室ユニットの壁によって覆われる（図示略）。
【００１８】
浴槽１の外縁には、水平方向に延びて浴槽１を囲むように形成される環状の上縁部１ｅが一体成形されている。又、図２に拡大して示すように、上縁部１ｅの外縁部には、浴槽１の下側へ向けて略鉛直に延びる側板部１ａが一体成形されている。更に上縁部１ｅの下面には、側板部１ａと隙間１ｃを空けて、浴槽１の側面と連なるリブ１ｂが下方へ突出して形成されている。リブ１ｂは、浴槽１の長手方向（図１及び図２の奥行方向）に間隔をあけて複数配置されている。
【００１９】
浴槽エプロン２は樹脂材料を一体成形してなる。図２に示す様に、浴槽エプロン２の上部には、段差部２ｄと水平方向に延びる上板部２ｇが形成されている。上板部２ｇの幅は、前記浴槽の側板部１ａとリブ１ｂの隙間１ｃよりわずかに小さく形成されており、下方より挿入し嵌着することができる。
【００２０】
図３に示す様に、浴槽エプロン２の下端部は水平方向浴槽側に屈曲部２ｅが形成され、浴槽エプロン２を下方から持ち上げる際の手掛けとなる。従って、浴槽エプロン２を着脱する際の手掛けを、浴槽エプロン２の前面２ｃに形成する必要がなく、デザインに自由度をまし、美観を向上することができる。また、浴槽エプロン２の前面２ｃは平面となるため、成形性および清掃性に優れている。
【００２１】
図４は浴槽エプロン２の裏面下部の取付部２ａと、取付部２ａに取り付けられる浴槽エプロン係止具４を示す。
浴槽エプロン２の裏面下部には、リブ２ｂが２つで１組となるように、鉛直方向に所定の長さで形成されている。これらのリブ２ｂには、浴槽エプロン係止具４を取り付けるための螺子９が螺着される２つの穴２ｈ、２ｊ、及び孔２ｉ、２ｋが形成され、全体で取付部２ａが構成されている。また、取り付け部２ａの上部に設けられた穴２ｈ、２ｉによって取付体２ｌが構成され、下部に設けられた穴２ｊ、２ｋによって取付体２ｍが構成されている。取付部２ａは図１及び図４中の奥行方向に複数個設置され、これらにそれぞれ浴槽エプロン係止具４が取り付けられる。
尚、穴２ｈ、２ｉ、２ｊ、２ｋは螺子９を螺着するために、雌螺子を切っても良いが、例えば、これらの穴に螺着する螺子９をタッピングスクリューとしてねじ込む構成としてもよい。
【００２２】
浴槽エプロン係止具４の構造に関して、図３及び図４を基に説明する。浴槽エプロン係止具４は樹脂材料の一体成形品であっても、プレスにより成形された防錆効果を有する金属材料等であっても良い。
浴槽エプロン係止具４は図４に示す様に、螺子９を貫通させ長孔４ｈ、４ｉを設けた締結板４ｄを介して浴槽エプロン２に取り付けられる。締結板４ｄの下部には締結側と反対側に水平に突出した下板４ｃが形成されている。又これらの板４ｃ、４ｄとの直角面に形成されるリブ４ｅ、４ｅによって補強されている。
【００２３】
下板４ｃの下面には下板４ｃの下面の締結側と反対側に位置し鉛直下向きに突出する引掛け部４ｂが形成され、更に締結側には、前記浴槽エプロン支持具５の傾斜部５ｂと同角度に傾斜する傾斜部４ｆが形成されている。即ち、浴槽エプロン係止具４の下面は、浴槽エプロン支持具５の上面を反転させた形状となっている。浴槽エプロン２が、浴槽１の側面に取り付けられる際には、浴槽エプロン係止具４の下面において浴槽エプロン支持具５が下方から嵌り図３中の左右方向に拘束された構造となる。
【００２４】
浴槽エプロン係止具４の浴槽エプロン２の取付部２ａへの取り付け方法に関して図４を基に説明する。浴槽エプロン係止具４には、前記した浴槽エプロン２の裏面下部に備えられた取付部２ａに螺着されるための二つの長孔４ｈ、４ｉが締結板４ｄに設けられている。長孔４ｈ、４ｉは、締結板４ｄを貫通し左右に平行に並んで配置された上下方向に延びる長孔であり、長孔４ｈと長孔４ｉの間隔は浴槽エプロン２の取付部２ａのリブ２ｂの幅、即ち穴２ｈと穴２ｉ、又は穴２ｊと穴２ｋの間隔と一致する。
【００２５】
浴槽エプロン２の取付部２ａに並ぶ穴２ｈ、２ｉ、２ｊ、２ｋは水平方向に並ぶ２つの穴２ｈ、２ｉと穴２ｊ、２ｋでそれぞれ１組となっており、それぞれ取付体２ｌ、２ｍを構成する。これらの内、いずれか一方を選択し、浴槽エプロン係止具４の長孔４ｈ、４ｉを通した螺子９を螺着することにより浴槽エプロン係止具４をリブ２ｂに押し当てて固定する。
即ち、浴槽１の高さｈや、床パン３の堤３ａの高さに合わせて、浴槽エプロン２の取付体２ｌ、２ｍのうちいずれか一方を選択することによって、浴槽エプロン係止具４の取り付け高さを大まかに決定することができる。更に、締結時の螺子９の長孔４ｈ、４ｉの上下方向における位置を適宜調整することで、浴槽エプロン係止具４の取り付け高さを微調整することができる。
【００２６】
本実施形態においては、図４に示す様に、穴２ｈ、２ｉ、即ち取付体２ｌを介して、浴槽エプロン係止具４を固定する。浴槽エプロン係止具４は一対の螺子９を長孔４ｈ、４ｉに貫通させ、長孔４ｈ、４ｉの上下方向の適切な位置で保持した状態で、一対の螺子９と穴２ｈ、２ｉを締結し、浴槽エプロン係止具４をリブ２ｂに押し当て固定する。
尚、図１の奥行方向に複数個並んで配置される取付部２ａにおいて、全ての浴槽エプロン係止具４は、各々同じ高さに設定して取り付けられる。
【００２７】
浴槽エプロン２を浴槽１に取り付ける際には、作業者は図３に示す屈曲部２ｅを手掛けにして浴槽エプロン２を下方から持ち上げ、図２に示す様に浴槽エプロン２上部の上板部２ｇを、浴槽１外縁に形成された隙間１ｃに嵌着し、更に、図３に示す様に、浴槽エプロン裏面下部に取り付けられた浴槽エプロン係止具４の下面の引掛け部４ｂを、堤３ａ状に固着した浴槽エプロン支持具５の上板部５ａと位置合わせしながらおろしていくことで、容易に浴槽エプロン２を浴槽１に装着することができる。
【００２８】
上述したように、浴槽エプロン２の取付部２ａに並ぶ取付体２ｌ、２ｍの内、いずれか一方を選択して浴槽エプロン係止具４を締結し螺着することにより浴槽エプロン係止具４を固定する。従って、浴槽１の高さｈや、床パン３の堤３ａの高さに合わせて、螺子９を螺着する穴を設定することで浴槽エプロン係止具４の取り付け高さを決定し、適切な位置に浴槽エプロン係止具を取り付けることができる。より具体的に第二の形態として、第一の形態の浴槽より、脚部から上縁部の高さが高い浴槽を採用し、しかも第一の形態と同じ床パン及び浴槽エプロンを用いる場合の、浴槽エプロン係止具の、浴槽エプロンへの取付構造に関して説明する。
【００２９】
（第二の形態）
図５、６、７は、本発明の浴槽エプロン取付構造の第二の形態を表し、それぞれ図１、図３、図４に対応している。尚、上述の第一の形態と同一態様については、同一符号を付して説明する。又、ここでは、第一の形態の構造と比較しその相違点を中心に説明を行う。
【００３０】
図５に示す様に、第二の形態の浴槽６は、その脚部６ｄから、上縁部までの高さがｉである。ここで、第一の形態における浴槽１の高さｈと比較して、ｉ＞ｈである。
又、本実施形態の浴槽６の長手方向に延びる両側面には、上下方向の中間部に浴槽６の内方へ向けて窪む形状の段差部６ｅが形成されている。これら段差部６ｅは、浴槽６内から見ると内方へ飛び出した形状となっており、入浴者の肘掛けとなるものである。
【００３１】
浴槽６の高さが異なっているため、第一の形態における浴槽エプロン２、浴槽エプロン係止具４、浴槽エプロン支持具５、及び床パン３と、これらの組み付け方法を同じくする場合においては、隙間なく設置することは不可能である。しかし、上述したように、浴槽エプロン係止具４の浴槽エプロン２に対すると取り付け高さは、浴槽エプロン２の裏面下部に備えられた取付体２ｌ、２ｍの内適当な高さの一方を選択することで可能となる。更に、浴槽エプロン係止具４の長孔４ｈ、４ｉは上下方向に長さを有する長孔であるので、締結時の一対の螺子９の上下方向の位置を調整することでも、浴槽エプロン係止具４の高さの調整が可能である。
【００３２】
つまり、浴槽エプロン２の取付体２ｌ、２ｍの内、即ち、穴２ｈ、２ｉ又は、穴２ｊ、２ｋのいずれかの組合せを選択し螺子９を螺着し、浴槽エプロン係止具４を固定することで大まかな高さを決め、細かい位置は、浴槽エプロン係止具４を螺子９に締結する際に、長孔４ｈ、４ｉにおいて、上下方向の固定位置を決めることで、調整することができる。
【００３３】
第二の形態においては、図７に示す様に、浴槽エプロン２の取付体２ｍの穴２ｊ、２ｋに螺子９を螺着することで、浴槽エプロン２に対して、浴槽エプロン係止具４をより下方に固定する。即ち、浴槽エプロン２を浴槽６に取り付けた状態においては、床パン３に対して、浴槽エプロン２を高い位置に設定する。又、細かい調整は、上述したように、長孔４ｈ、４ｉの上下方向の固定位置を適宜調整する。
【００３４】
この様に、浴槽の高さが変わった場合においても、浴槽エプロンの裏面下部の取付部において、浴槽エプロン係止具の取り付け位置を適切に設定することで、浴槽エプロンの浴槽に対する高さを調節することができ、様々な浴槽に対応する浴槽エプロンの取付構造の提供が可能となる。これは、浴槽の高さのみならず、床パンの堤の高さが変わった場合においても同様である。
【００３５】
この浴槽エプロンの取付構造は、浴槽エプロン上部において、浴槽の外縁部との隙間は小さく形成されるため、清掃性が良い。又、浴槽エプロンに上方の力を作用することで、浴槽エプロンを容易に着脱可能であり、又、ガタの少ない構造を少ない部品点数で実現可能である。
【００３６】
更に、浴槽エプロン裏面下部の取付部の穴を上下に複数個設け、取付体を複数構成したり、長孔にすることで、浴槽エプロンの取り付け高さの違いに対応し、分割した浴槽エプロンを用いる必要がなく、部品点数の削減によるコスト削減と伴に施工時間の短縮を図ることができる。
【００３７】
上述の第一、第二の形態では、浴槽エプロンの取付部には、上下に二つの取付体が構成されている場合について説明した。しかし、二組に限らず、三組、四組と増加させていくことで、様々な高さの浴槽及び床パンの堤の高さに対応することが可能となる。又、浴槽エプロン係止具には、上下方向に延びる長孔が形成されている場合について説明したが、これに限られるものではなく、浴槽エプロン係止具の上下方向に複数の孔が設けられており、それらに螺子を貫通させることで、位置合わせを行う構造を有していても良い。より具体的に、以下に説明する。
【００３８】
（変形例）
図８は本発明の浴槽エプロン取付構造の変形例を表し、図４、図７に対応している。尚、上述の第一の形態と同一態様については、同一符号を付して説明する。
図８に示す浴槽エプロン係止具７は、第一、第二の形態で示した浴槽エプロン係止具４と同様に、下板７ｃの下面には下板７ｃの下面の締結側と反対側に位置し鉛直下向きに突出する引掛け部７ｂが形成され、更に締結側には、前記浴槽エプロン支持具５の傾斜部５ｂと同角度に傾斜する傾斜部７ｆが形成されている。
【００３９】
浴槽エプロン係止具７には、浴槽エプロン２の裏面下部に備えられた取付部２ａに螺着されるための四つの孔７ｈ、７ｉ、７ｊ、７ｋが、浴槽エプロン２と平行に設置される締結板４ｄに設けられている。孔７ｈ、７ｉ、７ｊ、７ｋは、締結板７ｄを貫通し上下左右に並んで配置されており、左右に位置する孔７ｈと孔７ｉ及び、孔４ｊと孔４ｋの間隔は浴槽エプロン２の取付部２ａのリブ２ｂの幅、即ち穴２ｈと穴２ｉ、又は穴２ｊと穴２ｋの間隔と一致する。
【００４０】
浴槽エプロン係止具７の締結板７ｄに並ぶ孔７ｈ、７ｉ、７ｊ、７ｋは水平方向に並ぶ２つの孔７ｈ、７ｉと孔７ｊ、７ｋでそれぞれ１組となっており、これらの内、いずれか一組を選択し、螺子９を通し螺着することにより浴槽エプロン係止具７を一対のリブ２ｂに押し当てて固定する。
【００４１】
図８において、浴槽エプロン係止具７は一対の螺子９を孔７ｈ、７ｉに貫通させ、一対の螺子９と取付体２ｌの穴２ｈ、２ｉを螺着することにより締結することにより固定される。ただし、浴槽エプロン係止具７に設けられた孔７ｊ、７ｋに貫通させることも可能で、この場合は、浴槽エプロン２に対して、浴槽エプロン係止具７がより上方に取り付けられる。即ち、床パン３に対して、浴槽エプロン２を低い位置に設定する。
【００４２】
又、第一、第二の形態において説明したように、浴槽エプロン２の取付部２ａに設けられた取付体２ｌ、２ｍと組み合わせることで、より広い範囲の高さに設定することができる。具体的には、浴槽エプロン係止具７の浴槽エプロン２に対する取り付けは、浴槽エプロン係止具７の孔７ｈ、７ｉ、７ｊ、７ｋ及び、浴槽エプロン２の取付体２ｌ、２ｍの内、固定位置の組合せにより上位、中位、下位の３パターンの高さを適宜設定することが可能となる。
【００４３】
つまり、浴槽エプロン係止具７の上方の穴の７ｈ、７ｉと、浴槽エプロン２の取付部２ａの下方の取付体２ｍの穴２ｊ、２ｋを螺子９によって組み付けることで、浴槽エプロン係止具７を浴槽エプロン２に対して最も下位に取り付けることが可能となる。又、浴槽エプロン係止具７の上方の穴の７ｈ、７ｉと、浴槽エプロン２の取付部２ａの上方の取付体２ｌの穴２ｈ、２ｉを螺子９によって組み付けることで、浴槽エプロン係止具７を浴槽エプロン２に対して中位に取り付けることが可能となる。この場合においては、浴槽エプロン係止具７の下方の穴の７ｊ、７ｋと、浴槽エプロン２の取付部２ａの下方の取付体２ｍの穴２ｊ、２ｋを螺子９によって組み付けても同位置である中位に取り付けることとなる。更に、浴槽エプロン係止具７の下方の穴の７ｊ、７ｋと、浴槽エプロン２の取付部２ａの上方の取付体２ｍの穴２ｈ、２ｉを螺子９によって組み付けることで、浴槽エプロン係止具７を浴槽エプロン２に対して最も上位に取り付けることが可能となる。
【００４４】
尚、これらのすべての場合において、浴槽エプロン２の裏面下部に複数個並んで配置される取付体２ａに取り付けられる浴槽エプロン係止具７は、各々同じ高さに設定して取り付けられる。
【００４５】
以上に、本発明の様々な実施形態を説明したが、各実施形態における各構成及びそれらの組み合わせ等は一例であり、本発明の趣旨から逸脱しない範囲内で、構成の付加、省略、置換、及びその他の変更が可能である。又、本発明は実施形態によって限定されることはなく、クレームの範囲によってのみ限定される。
【符号の説明】
【００４６】
１、６…浴槽、１ａ、６ａ…浴槽側板部、１ｂ、６ｂ…浴槽リブ、１ｃ、６ｃ…隙間、１ｄ、６ｄ…浴槽脚部、１ｅ…浴槽上縁部、６ｆ…浴槽段差部、２…浴槽エプロン、２ａ…取付部、２ｂ…浴槽エプロンリブ、２ｃ…浴槽エプロン前面、２ｄ…浴槽エプロン段差部、２ｅ…浴槽エプロン屈曲部、２ｇ…浴槽エプロン部、２ｈ、２ｉ、２ｊ、２ｋ…穴、２ｌ、２ｍ…取付体、３…床パン、３ａ…床パン堤、３ｂ…堤上面、４、７…浴槽エプロン係止具、４ｂ、７ｂ…引掛け部、４ｃ、７ｃ…下板、４ｄ、７ｄ…締結板、４ｅ、７ｅ…リブ、４ｆ、７ｆ…傾斜部、４ｈ、４ｉ…長孔、５…浴槽エプロン支持具、５ａ…浴槽エプロン支持具上板部、５ｂ…浴槽エプロン支持具傾斜部、５ｃ…浴槽エプロン支持具鉛直側板部、５ｄ…浴槽エプロン支持具傾斜側板部、５ｅ…浴槽エプロン支持具締結板部、７ｈ、７ｉ、７ｊ、７ｋ…孔、８…浴室、８ａ…浴室洗い場側、８ｂ…浴室浴槽側、９…螺子、１０…固定具。
【図１】
2014008133.tif 000003
【図２】
2014008133.tif 000004
【図３】
2014008133.tif 000005
【図４】
2014008133.tif 000006
【図５】
2014008133.tif 000007
【図６】
2014008133.tif 000008
【図７】
2014008133.tif 000009
【図８】
2014008133.tif 000010